(57)【要約】【課題】  骨伝導スピーカ装置に気導スピーカを併設することにより、使用状況に応じて各スピーカの出力を骨伝導や気導スピーカに切り換えることで使い勝手を良好にして音楽などを聴くことができるようにした骨伝導スピーカ装置を提供する。【解決手段】  音声入力手段11から制御回路９に入力された信号に基づき音声振動として出力する骨伝導スピーカ３を弾性クッション４の表面に配置した骨伝導スピーカ装置１において、前記骨伝導スピーカと離間したスピーカ装置の表面に気導スピーカ８を併設したことを特徴とする。【選択図】  図３
2006262418.tif 000002
【特許請求の範囲】
【請求項１】
音声入力手段から制御回路に入力された信号に基づき音声振動として出力する骨伝導スピーカを弾性クッションの表面に配置した骨伝導スピーカ装置において、前記骨伝導スピーカと離間したスピーカ装置の表面に気導スピーカを併設したことを特徴とする骨伝導スピーカ装置。
【請求項２】
骨伝導スピーカと気導スピーカの出力を切り換え制御することを特徴とする請求項１記載の骨伝導スピーカ装置。
【請求項３】
骨伝導スピーカと気導スピーカの出力を骨伝導スピーカのみと気導スピーカのみ、あるいはその双方になるように切り換え制御することを特徴とする請求項２記載の骨伝導スピーカ装置。
【請求項４】
聴取者の頭部の骨伝導スピーカへの当接を検知するスイッチを設け、このスイッチの検知状態により骨伝導スピーカあるいは気導スピーカへの出力を切り換えるようにしたことを特徴とする請求項２記載の骨伝導スピーカ装置。
【請求項５】
弾性クッションを枕としてその表面に骨伝導スピーカおよび気導スピーカを配置したことを特徴とする請求項１記載の骨伝導スピーカ装置。
【請求項６】
弾性クッションをヘッドホンのレシーバとし、内表面側に骨伝導スピーカを配置し、外表面側に気導スピーカを配置したことを特徴とする請求項１記載の骨伝導スピーカ装置。
【発明の詳細な説明】
【技術分野】
【０００１】
本発明は、骨伝導によって音楽などを聴くことができる骨伝導スピーカ装置に関し、特に気導スピーカを併設した骨伝導スピーカ装置に関する。
【背景技術】
【０００２】
従来、寝ながらテレビ、ラジオの音声やＣＤなどで音楽を聴く手段としては、例えば、枕本体の中にスピーカーを組み込んだものがあり、使用者は表面被覆材の地裏側に取り付けたスピーカーからの音声を枕のメッシュシートを介して耳元で聴かせるように構成したものが出願公開されている。（特許文献１参照）
一方、骨伝導を利用したヘッドホンに関する特許出願も種々公開（例えば、特許文献２参照）されている。
【０００３】
そして、最近では、図８に示すように、骨伝導スピーカ（53）を頭部（56）を受ける緩衝材（54）に組み込み、枕（52）として寝ながら音楽を聴くことができるものが商品化されている。その構成はウレタンフォームなどの連続気泡発泡体の表面にスキン層を一体に設けて枕形状の緩衝材（54）を形成し、この緩衝材（54）の上部表面に頭部（56）が当接するように狭い間隔で２つの骨伝導スピーカ（53）を埋設したものであり、使用者が頭（56）をのせることにより、骨伝導によって音楽などを聴くことができるものである。
【特許文献１】特開２００２−１２５８２５公報
【特許文献２】特開２００３−３２７６８公報
【発明の開示】
【発明が解決しようとする課題】
【０００４】
しかしながら、上記種々の構成については、いずれも骨伝導スピーカとしての性質上、枕から頭を浮かしたりヘッドホンのレシーバ部を外した場合には、一時的に音声認識ができなくなるものである。例えば、枕上から起き上がって接続音源を操作するような場合には、再び枕に頭を乗せなければ操作結果を確認することができない不便さがあり、また、使用中に一時的に起き上がった場合にも音声認識が途絶えてしまうので音楽などを聞き逃す欠点があった。そして、骨伝導であることから、当然ながら音声は本人しか聴くことができず、周囲の人に聴かせることはできないものであった。
【０００５】
本発明は上記事情に着目してなされたものであり、骨伝導スピーカ装置に気導スピーカを併設することにより、使用状況に応じて各スピーカの出力を骨伝導や気導スピーカに切り換えることで使い勝手を良好にして音楽などを聴くことができるようにした骨伝導スピーカ装置を提供するものである。
【課題を解決するための手段】
【０００６】
上記課題を解決するため、本発明の骨伝導スピーカ装置は、音声入力手段から制御回路に入力された信号に基づき音声振動として出力する骨伝導スピーカを弾性クッションの表面に配置した骨伝導スピーカ装置において、前記骨伝導スピーカと離間したスピーカ装置の表面に気導スピーカを併設したことを特徴とするものである。
【発明の効果】
【０００７】
本発明によれば、聴取者の使用状態や周囲への配慮など、使用状況に応じて骨伝導スピーカまたは気導スピーカ、あるいはその双方のスピーカから出力させることができ、使い勝手を良好にした骨伝導スピーカ装置を得ることができる。
【発明を実施するための最良の形態】
【０００８】
以下、図面に基づき本発明の一実施形態について説明する。斜視図を図１、縦断面図を図２に示す骨伝導スピーカ装置（１）を内蔵した枕（２）は、上部表面に骨伝導スピーカ（３）を配置した弾性クッション体（４）と、これらを覆うカバー（５）などからなり音声受信装置を構成している。骨伝導スピーカ（３）は、音源からの音声を音声振動として聴取者の頭部（６）へ直接伝達することで、難聴者であっても骨伝導により聞こえるようにしたものであり、使用者が横になった際の頭部に少なくともいずれかが当接するようにスピーカ（３）の数は少なくとも２つ以上を弾性クッション体（４）上面のほぼ中央凹部に長手方向に沿って所定間隔で配設している。
【０００９】
また、弾性クッション体（４）の表面上部の左右にはケース（７）（７′）を配置し、このケース（７）（７′）内に空気中に音声を発する気導スピーカ（８）（８）とそのスピーカ制御部（９）（９）の駆動回路を配設しており、一方のケース（７）の側面には電源のオンオフをおこなう操作部（10）や音声入力部（11）を設置している。他方のケース（７′）側面には、骨伝導スピーカ（３）および気導スピーカ（８）への出力の切り換えをおこなう切換スイッチ（12）を設けている。
【００１０】
図３は、骨伝導スピーカ装置（１）の送受信装置を示すブロック図であり、テレビやＣＤラジオカセットなどの音源（13）（13′）からの音声信号が入力部（11）に入力され、スピーカ制御部（９）の駆動回路により、骨伝導スピーカ（３）（３）および気導スピーカ（８）（８）を駆動する。
【００１１】
骨伝導スピーカ（３）および気導スピーカ（８）へは、切換スイッチ（12）の図中矢印方向への摺動による接続動作により出力が切り換えられ、骨伝導スピーカ（３）（３）のみへ出力動作するモード（Ａ）と、気導スピーカ（８）（８）のみへの出力モード（Ｂ）、さらには骨伝導、軌道双方のスピーカ（３）（８）へ出力するモード（Ｃ）に切り換えて使用することができるように構成されている。
【００１２】
上記構成により、聴取者が、例えば、図２に示すように、骨伝導スピーカ装置（１）を内蔵した枕（２）の上に頭（６）をのせ、電源をオンすれば、音源（13）から入力される音声はスピーカ制御部（９）に伝達され、骨伝導スピーカ（３）からの音声振動として頭部（６）に伝わるものであり、難聴者は無論のこと健常者もその音声や音楽を聴くことができるものである。
【００１３】
しかして、就寝前の使用など周囲への音漏れを配慮すべきような場合の使用時には、骨伝導スピーカ（３）のみを動作させるモード（Ａ）で使用するものであり、また、ひとりではなく他のリスナーと一緒に聴くような場合は、気導スピーカ（８）のみのモード（Ｂ）を動作させ、さらに、他の人に聴かせるとともに使用者が骨伝導で音声を聞く場合には、骨伝導スピーカ（３）と気導スピーカ（８）の双方を動作（Ｃ）させるようにすれば、難聴者を含む複数の人が同時に同じ音声雰囲気を共有することができ、使用状況に対応して種々のモードを簡単に切り換え選択することができる。
【００１４】
また、前記就寝前の使用時など骨伝導スピーカ（３）のみを動作させて音楽を聴いている（Ａ）モードの場合にラジオのチューニングなど音源（13）を操作する際には、一時的に前記（Ｂ）または（Ｃ）モードに切り換えることで、気導スピーカ（８）からの音声をモニターしながら操作をおこなうことができるものである。なお、電波や赤外線ＬＥＤなどによるワイヤレス方式で動作させる場合は、通常は前記（Ｂ）モードでワイヤレススピーカとして使用することができる。
【００１５】
次に、本発明の他の実施例について説明する。図１と同一部分に同一符号を附した図４に示す骨伝導スピーカ装置（21）を内蔵した枕（22）には、前記実施例同様に配設した骨伝導スピーカ（３）とともに、弾性クッション体（４）の表面上部の左右に気導スピーカ（８）（８）とスピーカ制御部（９）（９）の駆動回路を配設しており、さらに、骨伝導スピーカ（３）（３）の近傍には、前記弾性クッション体（４）に頭（６）を乗せたときにその荷重を検知して付勢される検知スイッチ（15）が設置されている。
【００１６】
そして、図５のブロック図に示すように、枕（21）に頭を乗せているときは検知スイッチ（15）がこれを検出して切換スイッチ（12）を実線のように切り換え動作させ、スピーカ制御部（９）の駆動回路によって骨伝導スピーカ（３）が駆動されることで、使用者は周囲への音漏れを気にすることなく音声を聴くことができる。
【００１７】
頭を弾性クッション（４）上に乗せていないときや枕（22）から頭が離れた場合など検知スイッチ（15）が荷重を検出しないときは、切換スイッチ（12）は切り換えられて点線状態となり、気導スピーカ（８）の駆動に切り替わるものである。したがって、ラジオのチューニング操作などのために起き上がったようなときには、自動的にスピーカ出力が切り替わって気導スピーカ（８）から音声が発生するので、骨伝導スピーカ（３）で聴いていた音声を中断させるという不具合をなくし、継続して音声を聴くことができるものである。
【００１８】
図６は、前記実施例における骨伝導スピーカ装置（31）をヘッドホン（32）に配設したものであり、レシーバ部を形成する弾性クッション部（34）の頭部側面側である内表面側に骨伝導スピーカ（３）（３）を配置し、対向する外表面側に気導スピーカ（８）（８）を配置している。そして、骨伝導スピーカ（３）に近接する内表面下方には、ヘッドホン（32）を装着した際の頭部表面への当接を検知して付勢される検知スイッチ（15）を配設しており、使用者がヘッドホン（32）を装着しているときには検知スイッチ（15）の検出によって骨伝導スピーカ（31）から音楽などを聴くことができる。
【００１９】
また、ヘッドホン（32）を頭部から取り外すとともに、図７に示すような収納ケース（35）内にヘッドホン（32）をそのレシーバの気導スピーカ（８）部分を上方に向けて収納配置することにより、検知スイッチ（15）は消勢されて気導によるスピーカ（８）（８）からの音声が発生するものであり、ヘッドホン（32）を通常の気導スピーカとして使用することができる。
【産業上の利用可能性】
【００２０】
本発明は、骨伝導スピーカのみでなく、気導スピーカによる音声も聴くことができる骨伝導スピーカ装置として利用することができる。
【図面の簡単な説明】
【００２１】
【図１】本発明の１実施形態を示す骨伝導スピーカ内蔵枕の斜視図である。
【図２】図１の枕の縦断面図である。
【図３】図１の骨伝導スピーカ装置の送受信装置を示すブロック図である。
【図４】本発明の他の実施例を示す骨伝導スピーカ内蔵枕の斜視図である。
【図５】図４の骨伝導スピーカ装置の受信装置を示すブロック図である。
【図６】本発明をヘッドホンに採用した例を示す骨伝導スピーカ装置の断面図である。
【図７】図６にヘッドホンの気導スピーカ使用状態を示す斜視図である。
【図８】従来の骨伝導スピーカ内蔵枕の構成を示す断面図である。
【符号の説明】
【００２２】
１、21、31  骨伝導スピーカ装置        ２、22  枕
３  骨伝導スピーカ                    ４、34  弾性クッション
５  カバー                            ６  頭部
７  ケース                            ８  気導スピーカ
９  スピーカ制御部                    10  操作部
11  音声入力部                        12  切換スイッチ
13  音源                              15  検知スイッチ
32  ヘッドホン                        35  収納ケース
【図１】
2006262418.tif 000003
【図２】
2006262418.tif 000004
【図３】
2006262418.tif 000005
【図４】
2006262418.tif 000006
【図５】
2006262418.tif 000007
【図６】
2006262418.tif 000008
【図７】
2006262418.tif 000009
【図８】
2006262418.tif 000010